(57)【要約】【課題】        本発明は、生産地の変更の際に、操作性や作業性の効率を向上させたラベルプリンタを提供することを目的とする。  【解決手段】  固有のコードにより食品名と、生産地名とを関連付けて記憶する食品データテーブル２１と、生産地データテーブル２３と、有し、固有のコードを呼び出されると食品データテーブル２１から食品名と生産地名を検索して、少なくとも食品名と生産地名とをラベルに印字する通常発行モードと、生産地名が変更されたことをラベルに印字する生産地変更発行モードとを切換え可能にしたことを特徴とするラベルプリンタである。  【選択図】    図２
2005238586.tif 000002
【特許請求の範囲】
【請求項１】
入力手段および表示手段を有し、野菜や果物などの食品名と、生産地名と、をラベルに印字するラベルプリンタにおいて、
複数の固有のコードを有し、各々の前記固有のコードには前記食品名と、この食品名に対応した前記生産地名または生産地コードと、を関連付けて記憶する食品データテーブルと、複数の前記生産地名を記憶する生産地データテーブルと、有し、
前記入力手段により、少なくとも一つの固有のコードを呼び出されると、前記食品データテーブルから前記固有のコードを検索して、前記食品名と前記生産地名とを呼び出しラベルに印字する通常発行モードと、生産地名が変更されたことをラベルに印字する生産地変更発行モードとを切換する切換手段を設けたことを特徴とするラベルプリンタ。
【請求項２】
前記食品名と、この食品名に対応する前記生産地名、などの注文リストを印字した注文ラベルを発行する前記通常発行モードと、前記注文リストの生産地名に消し線を印字した注文内容変更ラベルと、生産地変更ラベルを印字する生産地変更発行モードとを有することを特徴とする請求項１記載のラベルプリンタ。
【請求項３】
前記生産地変更発行モードにおいて、前記注文内容変更ラベルと、前記生産地変更ラベルと、を連続して印字することを特徴とする請求項２記載のラベルプリンタ。
【発明の詳細な説明】
【技術分野】
【０００１】
本発明は、食品名および生産地名を記憶した食品データを印字するラベルプリンタに関する。
【背景技術】
【０００２】
近年、スーパーや食品を扱う業者などでは、食品を各家庭（顧客）に宅配するようなことが盛んになってきている。
このようなスーパーなどでは、予め設定された注文リストから顧客が必要な食品を選択して注文することにより週に１回または２回各家庭に宅配するようにしてある。
スーパーなどが顧客に提供する注文リストには、注文コードに対応した食品名、数量、産地名などが表示されており、顧客は、この注文リストの情報から希望する食品を選択して注文するようにしてある。
【０００３】
注文を受けたスーパーは、顧客データを登録するとともに、注文内容を登録する。
そして、食品を配送する時に、配送先の伝票を配送箱に貼るとともに、プリンタで注文内容（食品名、数量、産地名など）の食品リストをラベルに印字した注文ラベルを配送箱に貼付して発送される。
特許文献１には、商品情報として品番、商品名、原産地、添加物などをラベルに印字することが記載され、商品情報を変更する際に容易に探すことができるラベルプリンタが記載されている。
【特許文献１】特開２００２−１８３８３６号公報
【発明の開示】
【発明が解決しようとする課題】
【０００４】
しかし、食品の生産地は通年を通して同じ生産地することが望ましいが、気象条件や流通量の変化などにより所定量が入荷できないこともあり、一時、生産地を変更しなければならない場合がある。
生産地を変更しなければならない場合には、予め設定されている注文リストから注文された内容を印字した注文ラベルを印字して、この注文ラベルに印字された産地名に手書きで消し線を記入していたので、見栄えが悪いという問題がある。
また、変更後の生産地名を帳票などで印字した「詫び状」を発行し、貼付していたので、別々の用紙を必要とするので用紙の管理が煩わしいという問題がある。
また、「詫び状」を印字発行する時に、その都度、生産地名を入力したり、用紙の交換などにより作業効率が悪いという問題がある。
【０００５】
それゆえ、本発明の目的は、生産地名の変更の際、印字発行の操作性や作業性の効率を向上させたラベルプリンタを提供することを目的とする。
また、注文ラベルに印字した内容を、見栄えよくするとともに、作業性に優れたラベルプリンタを提供することを目的とする。
さらにまた、複数の用紙を管理することがないので、用紙管理の簡易化を図るラベルプリンタを提供することを目的とする。
【課題を解決するための手段】
【０００６】
本発明は、ラベルプリンタに備えた生産地名ファイルに着目したので、請求項１記載の発明の要旨は、入力手段および表示手段を有し、野菜や果物などの食品名と、生産地名と、をラベルに印字するラベルプリンタにおいて、複数の固有のコードを有し、各々の前記固有のコードには前記食品名と、この食品名に対応した前記生産地名または生産地コードと、を関連付けて記憶する食品データテーブルと、複数の前記生産地名を記憶する生産地データテーブルと、有し、前記入力手段により、少なくとも一つの固有のコードを呼び出されると、前記食品データテーブルから前記固有のコードを検索して、前記食品名と前記生産地名とを呼び出しラベルに印字する通常発行モードと、生産地名が変更されたことをラベルに印字する生産地変更発行モードとを切換する切換手段を設けたことを特徴とするラベルプリンタにある。
また請求項２記載の発明の要旨は、前記食品名と、この食品名に対応する前記生産地名、などの注文リストを印字した注文ラベルを発行する前記通常発行モードと、前記注文リストの生産地名に消し線を印字した注文内容変更ラベルと、生産地変更ラベルを印字する生産地変更発行モードとを有することを特徴とする請求項１記載のラベルプリンタにある。
また請求項３記載の発明の要旨は、前記生産地変更発行モードにおいて、前記注文内容変更ラベルと、前記生産地変更ラベルと、を連続して印字することを特徴とする請求項２記載のラベルプリンタにある。
【発明の効果】
【０００７】
本発明のラベルプリンタは、食品の生産地の変更の際に、簡易な操作により操作性を向上させるとともに、印字作業性の効率を向上させることができる。
また、消し線を印字することにより、見栄えをするとともに、作業性を向上させることができる。
さらにまた、複数の種類の用紙（ラベル連続体）を管理することがないので、用紙の管理を簡易にすることができる。
【発明を実施するための最良の形態】
【０００８】
本発明の実施の形態を図１ないし図７に基づいて説明する。
図１は本発明のラベルプリンタの一例を示した概略構成図であり、図２は図1の制御部の一例を示した構成を示すブロック図である。
【０００９】
ラベルプリンタ１は、用紙供給部２と、用紙検出部３と、印字部４と、制御部５と、を有している。
用紙供給部２には、帯状の台紙６に所定の間隔で複数仮着されたラベルＬをロール状にしたラベル連続体（用紙）７を回転可能に保持する用紙供給軸８を設け、案内ローラ１２を介して後述する印字部４に繰出し可能にしてある。
用紙検出部３は、所定の光を出射する図示せぬ発光部と発光部から出射された光を台紙６からの反射光を受光し、受光した光の強度（単位時間当たりの受光量）に対応する電気信号を出力する図示せぬ受光部とからなり、台紙６の裏面側に発光部と受光部を配し、台紙６の裏面に印刷等によって形成された図示せぬ基準マーク（黒色の矩形のマーク）を、受光部の受光量に基づいて検出する光反射センサ９がラベル連続体７の搬送路に配置されている。
用紙検出センサ９は、基準のマークの検出結果に基づいて、ラベルＬの印字基準位置などを後述する制御部５で制御するようにしてある。
尚、この実施の形態のラベルＬは、感熱により発色する感熱発色層が形成されたラベル（サーマル紙）で説明する。
【００１０】
印字部４は、プラテンローラ１０とサーマルヘッド１１が設けられるとともに、サーマルヘッド１１はプラテンローラ１０に対し接離自在に設けられている。また、プラテンローラ１０は、タイミングベルト（図示せず）を介してステッピングモータ１７に接続され、ステッピングモータ１７の駆動に伴って、プラテンローラ１０が回転自在に駆動するようにしてある。
また、プラテンローラ１０とサーマルヘッド１１とにより挟持されたラベル連続体７は、印字指令によりプラテンローラ１０が駆動するとともに、サーマルヘッド１１が選択的に発熱体（図示せず）を発熱させることにより、ラベルＬの感熱発色層を発色させて文字・記号やバーコードなど印字するようにしてある。
【００１１】
図２は、図１の制御部の構成例を示すブロック図である。
同図に示すように、制御部５は、プリンタ制御プログラム、各種固定データ、制御テーブルデータ、ＩＯ定数、モータ制御プログラム等を記憶するＲＯＭ（ｒｅａｄ  ｏｎｌｙ  ｍｅｍｏｒｙ）１３と、ＲＯＭ１３に記憶されている各種制御プログラムに従って動作し、各部を制御するＣＰＵ（ｃｅｎｔｒａｌ  ｐｒｏｃｅｓｓｉｎｇ  ｕｎｉｔ）１４と、ＣＰＵ１４が動作する上で必要となる各種データを記憶するワークエリア、および印字データが展開される印字展開エリアを有するＲＡＭ（ｒａｎｄｏｍ  ａｃｃｅｓｓ  ｍｅｍｏｒｙ）と１５、プラテンローラ１０を回転させることにより、ラベル連続体７を搬送方向に搬送駆動するステッピングモータ１７と、ステッピングモータ１７を制御するモータ制御回路１６と、ＣＰＵ１４の制御下、ＲＡＭ１５の印字展開エリアに展開された印字すべき文字、記号、およびバーコードなどの印字データに対応する制御信号を生成し、生成した制御信号をサーマルヘッド１１に供給して印字動作を行わせるヘッド制御回路１８と、ＣＰＵ１４の制御下、光反射センサ９の図示せぬ発光部を制御し、光を出射させるとともに、図示せぬ受光部から出力される電気信号を受け取り、ディジタルのデータに変換して印字基準検出データとしてＣＰＵ１４に供給するセンサ制御回路１９と、ＣＰＵ１４の制御下、食品データテーブル２１、顧客データテーブル２２、生産地データテーブル２３及び印字フォーマット２４が格納されるとともに、各テーブルのデータを書換え可能に設けた不揮発性記憶部２０と、各種データやコマンドを入力するための入力部２５と、入力されたデータを表示し、または入力部２５から入力されたデータにより、上述の所定のテーブルを検索して表示する表示部２６と、をＣＰＵ１４に接続するインタフェース２７とから構成されている。
【００１２】
また、入力部２５には、文字や数字を入力するキー、印字発行キーおよび後述する通常発行モードと生産地変更発行モードとを切換えする切換キー（切換手段）などが設けられている（何れも図示せず）。
不揮発性記憶部２０に格納された印字フォーマット２４には、少なくとも３種類の印字フォーマットが記憶されている。具体的には、通常発行モードにおいて、注文ラベルＬ１を印字する注文フォーマット、生産地変更発行モードでは、生産地名が変更された生産地名に二重の消し線３０ａを設定した注文内容変更ラベルＬ２を印字する注文内容変更フォーマットと、生産地を変更したことのコメントを印字する生産地変更ラベルＬ３を印字する生産地変更フォーマットとに夫々対応してある。
尚、入力手段として入力部２５によるキー入力で説明するが、外部のパソコン（パーソナルコンピュータ）からインタフェースを介して入力される信号を受けるようにすることができる。
【００１３】
図３は食品データテーブルを説明する説明図であり、図４（ａ）は顧客データデータを説明する説明図であり、図４（ｂ）は生産地データテーブルを説明する説明図である。
食品データテーブル２１は、注文コード欄２１ａ、食品名欄２１ｂ、生産地名欄２１ｃ、単位数欄２１ｄなどから構成されている。
注文コード欄２１ａは、「１００」「１０１」などからなるコード（固有のコード）が複数記憶され、顧客が注文するための注文コードとなり、各注文コードに対応して、食品名、生産地名、単位数などが記憶され、注文コードを入力部２５のキー操作により入力されると食品データテーブル２１を検索して呼び出され、注文コードに対応する食品名、生産地名、単位数が呼び出されて表示部２６に表示するようにしてある。
【００１４】
食品名欄２１ｂは、野菜や果物などの食品の食品名が記憶され、生産地名欄２１ｃは、食品が生産された生産地名が記憶されている。また単位数欄２１ｄには、予め決められた所定の単位の数量が記憶されている。
例えば、注文コード欄２１ａの注文コード「１００」には、食品名「なす」、生産地名「Ａ」、単位数「３本」が記憶され、注文コード「１０１」には、食品名「なす」、生産地名「Ａ」、単位数「５本」が記憶され、注文コード「２００」には、食品名「だいこん」、生産地名「Ｂ」、単位数「１本」が記憶され、注文コード「３００」には、食品名「たまねぎ」、生産地名「Ｃ」、単位数「５個」などが記憶されている。
【００１５】
顧客データテーブル２２は、顧客コード欄２２ａと注文コード欄２２ｂとを有している。顧客コード欄２２ａは、顧客に対応した顧客コードが複数記憶されている。また、注文コード欄２２ｂには、各顧客コードに対応した注文された食品の文コードが記憶されている。
例えば、顧客コード欄２２ａの顧客コード「１２３」には、注文された食品の注文コード「１０１」「２００」「３００」の３点が注文され、顧客コード「１２４」には、注文された食品の注文コード「１００」「２００」の２点が注文されて記憶されている。このように、複数の顧客コードに対応する注文された注文コードが記憶されている。
【００１６】
生産地データテーブル２３には、生産地コード欄２３ａと、生産地名欄２３ｂとを有している。生産地コード欄２３ａには、生産地コードが数字で複数記憶され、生産地名欄２３ｂには、生産地名あるいは国名などが生産地コードに関連付けされて記憶されている。
例えば、生産地コード欄２３ａの生産地コード「１」には生産地名「Ａ」が、生産地コード「２」には生産地名「Ｂ」が、生産地コード「３」には生産地名「Ｃ」が、生産地コード「４」には生産地名「Ｄ」が、記憶されている。
尚、食品データテーブル２１の生産地名欄２１ｃには、生産地名を記憶しているが、生産地データテーブル２３の生産地コード欄２３ａの生産地コードを記憶させて、生産地データテーブル２３の生産地コードから生産地名を呼び出すようにしてもよい。
【００１７】
不揮発性記憶部２０に記憶された食品データテーブル２１、顧客データテーブル２２および、生産地データテーブル２３は、通常発行モードにおいて、入力部２５から顧客コードを入力すると、顧客コードテーブル２２の顧客コード欄２２ａから顧客コードと、顧客コードに対応する注文コード欄２２ｂの注文コードにより、食品データテーブル２１に記憶された注文コードに対応する食品名、生産地名などを呼び出し、表示部２６に表示するようにしてある。
【００１８】
例えば、入力部２５から顧客コード「１２３」を入力して呼び出すことにより、表示部２６に顧客コード「１２３」と、顧客名と、顧客が注文した注文コードに対応する、食品名、生産地名、単位数などが表示され、表示された内容を確認して、入力部２５より印字発行のキーを操作することにより、上述の呼び出されたデータに基づいて、顧客コードとして「会員番号  １２３」と、「注文番号  食品名  生産地  数量」が印字される。注文番号には、「１００」「２００」「３００」が、食品名には、「なす」「だいこん」「ねぎ」が、生産地には、「Ａ」「Ｂ」「Ｃ」が、数量には、「３本」「１本」「５個」が夫々印字される。（図５（ａ）参照）
図５（ａ）の印字は、不揮発性記憶部２０の印字フォーマット２４に記憶された通常フォーマットによりラベルＬに印字した注文ラベルＬ１である。
印字された注文ラベルＬ１は、梱包箱（図示せず）に荷札とともに貼付され、顧客に届けられる。
【００１９】
次に、図７のフローチャートに基づいてラベルプリンタ１の印字発行の説明をする。
ステップＳ１では顧客からの注文内容と同じ内容の注文ラベルＬ１を印字発行する通常発行モードまたは食品の生産地名を変更したラベルを発行する生産地変更発行モードの何れかを選択する。注文ラベルＬ１を発行する場合には、通常発行モードを選択しステップＳ２に進む、また生産地変更発行モードを選択した場合にはステップＳ６に進む。
【００２０】
ステップＳ１で入力部２５の切換キー（図示せず）の入力により通常発行モードを選択しステップＳ２に進む。ステップＳ２では、表示部２６に顧客コードを入力する画面が表示され、一つまたは複数の顧客コードを入力することができる。また、複数の顧客コードを入力するときには、任意に顧客コードの範囲を設定することができる。
【００２１】
ステップＳ２において、顧客コード「１２３」を入力部２５から入力すると、顧客データテーブル２２から顧客コード「１２３」に対応した注文された注文コードに対応した食品の内容が食品データテーブル２１から注文コード、食品名、生産地名、単位数が夫々呼び出され表示部２６に表示される（ステップＳ３）。
表示部２６に表示された顧客データ「１２３」の注文内容を確認して、入力部２５から印字発行キー（図示せず）を入力することにより（ステップＳ４）、顧客コード「１２３」の注文ラベルＬ１が印字発行（ステップＳ５）されて終了する。印字された注文ラベルＬ１を図５（ａ）に示す。
尚、ステップＳ４で注文ラベルを印字しないときは、ステップＳ１に戻るようにすることもできる。
印字発行された注文ラベルＬ１は、顧客名など印字された荷札ラベル（図示せず）と、印字発行された注文ラベルＬ１とを、梱包箱に貼付され顧客に送られる。このように、毎週定期的に顧客に送られることになる。また、注文ラベルには印字面とは反対の面に粘着剤が予め形成され、印字された注文ラベルを台紙から剥がすと容易に貼付することができる。
【００２２】
ここで例えば、日照不足や低温などの気象条件により所定の生産地から食品の出荷量が減少した場合には、生産地を変更して食品を顧客に送ることになる。
例えば、「なす」の生産地を「Ａ」から「Ｄ」に変更する場合には、ステップＳ１で生産地変更モード選択しステップＳ６に進む。
ステップＳ６では、生産地名を変更する食品名を入力する画面が表示部２６に表示する。入力部２５から、食品名「なす」の文字を入力するとステップＳ７に進む。
【００２３】
ステップＳ７では、食品名「なす」に対応する生産地名を食品データテーブル２１から検索し、食品名「なす」に該当する注文コード番号「１００」及び「１０１」に対応する食品名および生産地名が呼び出され表示部２６に表示されるとともに、変更後の生産地名を入力することができるように表示部２６に生産地名を変更する入力表示もされている。
入力部２５の文字入力によるキー操作で、生産地名「Ｄ」を入力する（ステップＳ７）。生産地名の入力は、生産地名を文字入力する場合や生産地名の生産地コードのコード番号「４」を入力するようにしてもよい。
ステップＳ７において、生産地名を変更する処理をしたことにより、生産地変更発行モードでは、生産地名を変更した生産地名に二重線の消し線が設定され、注文内容変更ラベルＬ２が印字する印字内容変更フォーマットに割り当てられる。
また、変更後の生産地名「Ｄ」と、変更後の生産地名に対応する単位数は、食品データテーブル２１から該当する注文コードのコードが印字のために呼び出された時に、後述する生産地変更ラベルＬ３に印字する生産地変更フォーマットのために割り当てられる。
【００２４】
上述のように食品の生産地が変更された時には、注文内容変更ラベルＬ２と生産地変更ラベルＬ３との２種類のラベルを印字発行されるようにしてある。
表示部２６には、顧客コードを入力する画面が表示され、一つまたは複数の顧客コードを入力することができるようにしてある。
ステップＳ８において、顧客コード「１２３」を入力すると、顧客データテーブルから顧客コード１２３」に対応する注文された内容が食品データテーブル２１から「注文コード」、「食品名」、「生産地名」、「単位数」が呼び出され表示部に表示される（ステップＳ９）。そしてステップ１０に進む。
この時、表示部２６に、生産地名が変更される前の生産地名「Ａ」に二重線の消し線が表示されている。二重線の消し線は、直接表示部に表示されなくてもよく、文字や記号などや表示の点滅や色を他と異なるようにしてもよい。
【００２５】
ステップＳ１０は、印字発行の入力待ち状態であり、入力部２５の印字発行キーを入力するとステップＳ１１およびステップ１２に進む。
尚、ステップ１０で印字を中止するときには、入力部２５からキャンセルキー（図示せず）が入力されるとステップＳ１に戻るようにすることもできる。
ステップＳ１１では、変更後の生産地名に二重の消し線が印字された注文内容変更ラベルＬ２と、ステップ１２では、生産地変更コメントラベルＬ３とが連続して印字発行され終了する。
【００２６】
注文内容変更ラベルＬ２は、会員番号欄２８と注文変更リスト欄３０とが印字され、注文変更リスト欄は、顧客が注文された内容で印字され、変更された生産地「Ａ」に、二重の消し線３０ａが印字されている。（図５（ｂ）参照）
生産地変更ラベルＬ３は、生産地変更コメント欄３１などが印字される。生産地変更コメント欄３１には、ステップＳ７で入力した生産地名「Ｄ」と、生産地名を変更する食品名「なす」および単位数「３本」が予め設定した生産地変更フォーマットに割り当てられ印字されるようにしてある。（図６参照）
【００２７】
このように、食品の生産地が気象条件などにより、生産地が変更になった場合には、生産地変更モードに切換えることにより、変更後の生産地名を入力することにより、注文ラベルＬ１に、変更する生産地名に二重の消し線３０ａが印字された注文内容変更ラベルＬ２を印字し、かつ生産地変更ラベルＬ３も印字されるので、簡易な操作で注文内容変更ラベルＬ２と生産地変更ラベルＬ３の２種類の異なるラベルを続けて印字することができ、操作性が向上するとともに印字発行の作業効率が向上する。
また、注文内容変更ラベルＬ２と生産地変更ラベルＬ３とが続けて印字されるので、間違うことなく、梱包箱に２種類のラベルを貼付することができる。
【００２８】
この実施の形態でのラベルプリンタの入力部には、通常ラベル発行モードと生産地変更発行モードとを切換えする切換キーが設けられている例で説明したが、表示部にメンテナンスモードを表示させて、メンテナンスモードから通常発行モードと生産地変更発行モードとを切換えするようにしてもよい。
また、文字や数字などをキー操作で説明したが、表示部をタッチパネルにより構成し、タッチパネルで入力あるいは選択するようにしてもよい。
さらにまた、この実施の形態で説明した注文ラベル、注文内容変更ラベル、生産地変更ラベルの印字内容は一例であり、印字内容あるいは印字フォーマットは任意である。
この実施の形態では、各構成部材の数、位置、形状等は上記実施の形態に限定されず、本発明を実施する上で好適な数、位置、形状等にすることができる。
なお、本発明が上記各実施の形態に限定されず、本発明の技術思想の範囲内において、実施の形態は適宜変更され得ることは明らかである。
【図面の簡単な説明】
【００２９】
【図１】本発明のラベルプリンタの一例を示した概略構成図である。
【図２】同上、図1の制御部の一例を示した構成を示すブロック図である。
【図３】同上、不揮発性記憶部に記憶される一例を示した食品データテーブルの説明図ある。
【図４】（ａ）同上、不揮発性記憶部に記憶される一例を示した顧客データテーブルの説明図である。（ｂ）同上、不揮発性記憶部に記憶される一例を示した顧客データテーブルの説明図である。
【図５】（ａ）同上、通常発行モードで印字された一例を示した注文ラベルの説明図である。（ｂ）同上、生産地変更発行モードで印字された一例を示した注文内容変更ラベルの説明図である。
【図６】同上、生産地変更発行モードで印字された一例を示した生産地変更コメントラベルの説明図である。
【図７】同上、ラベルプリンタ１の印字発行を説明するフローチャート図である。
【符号の説明】
【００３０】
１      ラベルプリンタ
２      用紙供給部    
４      印字部
５      制御部      
７      ラベル連続体
１３      ＲＯＭ      
１４      ＣＰＵ
１５      ＲＡＭ
２０      不揮発性記憶部      
２１      食品データテーブル
２１ａ    注文コード欄
２１ｂ    食品名欄
２１ｃ    生産地名欄
２１ｄ    単位数欄    
２２      顧客データテーブル
２２ａ    顧客コード欄
２２ｂ    注文コード欄  
２３      生産地データテーブル
２３ａ    生産地コード欄
２３ｂ    生産地名欄  
２４      印字フォーマット      
２５      入力部（入力手段）      
２６      表示部（表示手段）      
２８      会員番号欄      
２９      注文リスト欄
３０      注文変更リスト欄
３０ａ    二重の消し線
３１      生産地変更コメント欄
Ｌ        ラベル
Ｌ１      注文ラベル
Ｌ２      注文内容変更ラベル
Ｌ３      生産地変更ラベル
【図１】
2005238586.tif 000003
【図２】
2005238586.tif 000004
【図３】
2005238586.tif 000005
【図４】
2005238586.tif 000006
【図５】
2005238586.tif 000007
【図６】
2005238586.tif 000008
【図７】
2005238586.tif 000009